(57)【特許請求の範囲】
【請求項１】
脚柱の上端に固定した基枠に、上部に背凭れを備える背杆の下部を後方に回動可能に軸支し、前記背凭れの回動と連動して、上部に座席を備える座席受体を前記基枠に対して移動させるようにした椅子の座席と背凭れの傾動装置において、
座席受体の左右の側壁のそれぞれに、縁部が筒状をなして外向きに突出するバーリング孔を穿設し、このバーリング孔に、軸受孔を有し、かつ前記バーリング孔と同形状同寸法の小径部と、この小径部より大きな大径部とを有する合成樹脂材料製の軸受部材を、前記両側壁の内方より前記小径部を外側として嵌合し、左右の軸受部材の大径部内側面に前記背杆の左右両側部を当接させて配設するとともに、背杆の左右両側部の軸孔に、外側に突出するバーリング部を設け、軸受部材の大径部に、前記バーリング部の突出長さと等しい張り出し部を形成し、前記背杆の左右両側部に穿設した軸孔と前記軸受部材の軸受孔とに軸を挿通して、前記背杆と前記座席受体とを連結したことを特徴とする椅子の座席と背凭れの傾動装置。
【請求項２】
バーリング孔と、それに嵌合される軸受部材の小径部及び軸受孔が長円形をなし、この長円形の軸受孔内を軸が、長円形の長軸方向に摺動しうるようにした請求項１記載の椅子の座席と背凭れの傾動装置。
【請求項３】
背杆の左右両側部の内側に、基枠に支持される内部軸受部材を嵌合したことを特徴とする請求項１または２記載の椅子の座席と背凭れの傾動装置。
【請求項４】
軸受部材の小径部の先端部に、バーリング孔からの抜け止め用の小突起を形成したことを特徴とする請求項１〜３のいずれかに記載の椅子の座席と背凭れの傾動装置。
【発明の詳細な説明】
【０００１】
【発明の属する技術分野】
本発明は、脚柱の上端に固定した基枠に、上部に背凭れを備える背杆の下部を後方に回動可能に軸支し、背杆回動と連動して、上部に座席を備える座席受体を基枠に対して移動させるようにした椅子の座席と背凭れの傾動装置に関する。
【０００２】
【従来の技術】
従来、この種の装置において、背杆と座席受体とが摺動可能に取り付けたものでは、座席受体の左右の側壁のそれぞれに長孔を穿設し、この長孔に、内部に軸受用の長孔を有する同形状の合成樹脂材料製の軸受部材を嵌合し、背杆に穿設した軸孔と前記軸受部材の長孔とに軸を挿通して、座席受体と背杆とを連結したものが知られている。
【０００３】
【発明が解決しようとする課題】
上述の従来装置において、座席受体が鋼板製のものでは、合成樹脂材料製の軸受部材は、左右の側壁のそれぞれに穿設した長孔に、鋼板の板厚のみで保持されているため、座席と背凭れの傾動時の繰り返し荷重を軸受部材が受けると、軸受部材に破損や変形によるがたつきが発生し易いという問題点があった。
【０００４】
本発明は、このような問題点を解決するため、軸受部材の破損や変形によるがたつきが起きにくいように、強度の向上を図るとともに、背杆と座席受体とのがたつきの防止、及び組立性の向上を図った椅子の座席と背凭れの傾動装置を提供することを目的とする。
【０００５】
【課題を解決するための手段】
本発明によると、上記課題は、次のようにして解決される。
(１)  脚柱の上端に固定した基枠に、上部に背凭れを備える背杆の下部を後方に回動可能に軸支し、前記背凭れの回動と連動して、上部に座席を備える座席受体を前記基枠に対して移動させるようにした椅子の座席と背凭れの傾動装置において、座席受体の左右の側壁のそれぞれに、縁部が筒状をなして外向きに突出するバーリング孔を穿設し、このバーリング孔に、軸受孔を有し、かつ前記バーリング孔と同形状同寸法の小径部と、この小径部より大きな大径部とを有する合成樹脂材料製の軸受部材を、前記両側壁の内方より前記小径部を外側として嵌合し、左右の軸受部材の大径部内側面に前記背杆の左右両側部を当接させて配設するとともに、背杆の左右両側部の軸孔に、外側に突出するバーリング部を設け、軸受部材の大径部に、前記バーリング部の突出長さと等しい張り出し部を形成し、前記背杆の左右両側部に穿設した軸孔と前記軸受部材の軸受孔とに軸を挿通して、前記背杆と前記座席受体とを連結する。
【０００６】
(２)  上記(１)項において、バーリング孔と、それに嵌合される軸受部材の小径部及び軸受孔が長円形をなし、この長円形の軸受孔内を軸が、長円形の長軸方向に摺動しうるようにする。
【０００７】
(３)  上記(１)または(２)項において、背杆の左右両側部の内側に、基枠に支持される内部軸受部材を嵌合する。
【０００８】
(４)  上記(１)〜(３)項のいずれかにおいて、軸受部材の小径部の先端部に、バーリング孔からの抜け止め用の小突起を形成する。
【０００９】
【発明の実施の形態】
図９は、本発明を適用した椅子の概略構成を示すもので、キャスタ(１)を備えた脚部(２)には、ガススプリングを内蔵した脚柱(３)が固定されており、脚柱(３)の上端には、基枠(４)が取り付けられている。
【００１０】
図９と、その要部の分解斜視図である図１に示すように、基枠(４)には、上部に図示しない座席を備えた座席受体(５)、及び上部に図示しない背凭れを備えた背杆(10)が、３つの連結部(Ａ)(Ｂ)(Ｃ)により連結されている。
【００１１】
すなわち、座席受体(５)は、基枠(４)に形成した長孔(６)と座席受体(５)に形成した長孔(７)とに摺動自在に嵌合した前後１対の軸(８)(９)をもって、基枠(４)に支持されている。
【００１２】
後部の軸(９)は、背杆(10)の前端に穿設した軸孔(13)（図１参照）に挿通され、この背杆(10)の中間部に突設した軸(11)は、座席受体(５)の後部両側部に形成した長孔(12)に嵌合されている。
【００１３】
このような長孔と軸とによる連結部の構成は、着座者が背凭れに寄りかかる時、座席受体(５)を、背凭れ、従って背杆(10)の後方への回動と連動して、後ろに移動しながら後ろに傾く運動をさせるためであり、着座者は、骨盤の近傍（Ｐ点）を中心に後ろに無理なく回転する。またこの際、座席の運動中心(Ｑ)は、着座者の足の踝の位置に近づくので、下腿部が上方に引っ張り上られることがない。
【００１４】
図１に示すように、前述の連結部(Ｂ)の長孔(６)は、基枠(４)の左右両側の上縁に形成された傾斜面(14)と、座席受体(５)を挟んで基枠(４)の上面を覆う取付板(15)の下面に形成された傾斜面(16)とにより形成されている。軸(８)には、軸受部材(17)を嵌合させ、この軸受部材(17)の左右両端の上下面を、上下の傾斜面(16)(14)とに摺動可能に当接させている。
【００１５】
連結部(Ｃ)では、座席受体(５)の左右の両側壁に穿設した長孔(12)の内側から、合成樹脂材料製の長円形の軸受部材(18)が挿入されている。長孔(12)は、外方に突出する長円形の筒状のバーリング部(12a)（図４参照）を有するバーリング孔である。
【００１６】
軸受部材(18)は、図２及び図３に示すように、長円形の軸受孔(19)を有し、外面には、長孔(12)に嵌合する長孔(12)と同形同寸法の小径部(20)と、この小径部(20)よりも大きい大径部(21)とを有している。
なお、符号(22)は、肉抜き部を、また、符号(23)は、小径部(20)の先端に形成された長孔(12)からの抜け止め用の小突起を示す。
【００１７】
このような軸受部材(18)の小径部(20)は、座席受体(５)の内側から長孔(12)に、小突起(23)がバーリング部(12a)の端縁に係合するまで挿入されている。
【００１８】
座席受体(５)の左右の両側壁に取り付けられた軸受部材(18)の大径部(21)の間には、背杆(10)の左右両側部が、その軸孔(24)を整合させて嵌合される。
軸孔(24)は、図４に示すように、内方に突出するバーリング部(24a)を備えた円形のバーリング孔である。
【００１９】
このように左右に配置された軸受部材(18)の軸受孔(19)及び背杆(10)の軸孔(24)に、一端に頭部(11a)を有する軸(11)が挿通され、その他端は、係止リング又はかしめにより抜け止めされている。この状態を、図４に拡大して示している。
【００２０】
連結部(Ａ)では、連結部(Ｃ)と同様に、座席受体(５)の左右の両側壁に穿設した長孔(７)は、図８に示すように、外方に突出する長円形の筒状のバーリング部(7a)を備えたバーリング孔であり、ここに合成樹脂材料製の長円形の軸受部材(25)の小径部(26)が嵌合されている。
【００２１】
軸受部材(25)は、前述の軸受部材(18)と同様な構成のものであり、図５、図６及び図７に示すように、長円形の軸受孔(27)、小径部(26)、大径部(28)、小突起(29)を有するほか、大径部(28)の両端部に斜めに対向して突出する張り出し部(30)が形成されている。
【００２２】
背杆(10)の軸孔(13)は、外方に突出するバーリング部(13a)を備えたバーリング孔であり、図８に示すように、外向きに突出するバーリング部(13a)は、軸受部材(25)の張り出し部(30)の内方に突出する空間内に収容されている。
【００２３】
背杆(10)の左右両側面の間には、座席の荷重を基枠(４)に伝達するための内部軸受部材(31)が嵌合される。
【００２４】
頭部(9a)を有する軸(９)は、軸受部材(25)の長円形の軸受孔(27)、背杆(10)の軸孔(13)、内部軸受部材(31)を挿通して、係止リングまたはかしめにより抜け止めされている。
【００２５】
【発明の効果】
本発明によれば、合成樹脂材料製の軸受部材の小径部をバーリング部の内周全体で受けることとなり、軸受部材の破損や変形によるがたつきが起きにくく、強度的な向上を図ることができるとともに、組立性の向上を図ることができる。
また、背杆の左右両側部の軸孔を、外側に突出するバーリング部を有するものとし、軸受部材の大径部に前記バーリング部の突出長さに等しい張り出し部を形成すると、基枠に支持される内部軸受部材の両側面を、背杆の内側面に当接させることができ、連結構造の強化、及びがたつきの減少を図ることができる。
【００２６】
請求項２記載の発明のような構成とすると、軸が軸受部材の長円形の軸受孔に沿って円滑に摺動することができる。
【００２７】
請求項３記載の発明のように、背杆の左右両側部の内側に、基枠に支持される内部軸受部材を配設すると、座席に加わる荷重を、この連結部の軸及び内部軸受部材を介して基枠に直接に伝達することができる。
【００２８】
請求項４記載の発明のように、軸受部材の小径部の先端部に、抜け止め用の小突起を形成すると、軸の挿入前に軸受部材を座席受体に仮止めすることができる。
【図面の簡単な説明】
【図１】  本発明の一実施例を備えた椅子の主要部分を分解して示す斜視図である。
【図２】  図１に示す座席受体と背杆との後部の連結部に用いる長円形の軸受部材の拡大斜視図である。
【図３】  図２のIII-III線に沿う断面図である。
【図４】  後部の連結部の拡大縦断面図である。
【図５】  図１に示す座席受体と背杆との前部の連結部に用いる長円形の軸受部材の拡大斜視図である。
【図６】  図５に示す長円形の軸受部材の、図５とは反対側の拡大斜視図である。
【図７】  図５のVII-VII線に沿う断面図である。
【図８】  前部の連結部の拡大断面図である。
【図９】  本発明を適用した椅子の背凭れの傾動時における各部の運動を説明する概略構成図である。
【符号の説明】
(Ａ)(Ｂ)(Ｃ)連結部
(１)キャスタ
(２)脚部
(３)脚柱
(４)基枠
(５)座席受体
(６)長孔
(７)長孔（バーリング孔）
(7a)バーリング部
(８)(９)軸
(10)背杆
(11)軸
(11a)頭部
(12)長孔（バーリング孔）
(12a)バーリング部
(13)軸孔（バーリング孔）
(13a)バーリング部
(14)傾斜面
(15)取付板
(16)傾斜面
(17)軸受部材
(18)軸受部材
(19)軸受孔
(20)小径部
(21)大径部
(22)肉抜き部
(23)小突起
(24)軸孔（バーリング孔）
(24a)バーリング部
(25)軸受部材
(26)小径部
(27)軸受孔
(28)大径部
(29)小突起
(30)張り出し部
(31)内部軸受部材
【図１】
0003736585.tif 000002
【図２】
0003736585.tif 000003
【図３】
0003736585.tif 000004
【図４】
0003736585.tif 000005
【図５】
0003736585.tif 000006
【図６】
0003736585.tif 000007
【図７】
0003736585.tif 000008
【図８】
0003736585.tif 000009
【図９】
0003736585.tif 000010